(57)【特許請求の範囲】
【請求項１】
ファインダの視野範囲を切り替える視野範囲切り替え装置において、  視野範囲の切り替え時に操作される操作部材と、この操作部材に固着されたカム部材と、このカム部材に形成されたカムスロットに係合する連動ピンが設けられ、カム部材の移動によりファインダの光軸を中心に回動してマスク板をファインダの光軸と直交する面内で移動させる切り替え部材とからなり、前記カムスロットの少なくとも一部は、その一方の壁面が他方の壁面に向かって連動ピンを押しつける弾性片で構成されていることを特徴とする視野範囲切り替え装置。
【発明の詳細な説明】
【０００１】
【発明の属する技術分野】
本発明は、ファインダの視野範囲を切り替える装置に関するものである。
【０００２】
【従来の技術】
プリント写真には、アスペクト比が１．５のＣサイズプリント写真（８９ｍｍ×１２７ｍｍ）、アスペクト比が３．０のパノラマプリント写真（８９ｍｍ×２５２ｍｍ）及び、近年普及しつつあるＡＰＳ（ＡＤＶＡＮＣＥＤ  ＰＨＯＴＯ  ＳＹＳＴＥＭ）における標準サイズであるアスペクト比が１．８のＨサイズプリント写真（８９ｍｍ×１５８ｍｍ）がある。
【０００３】
上述したアスペクト比の異なるプリント写真を得るためのカメラには、Ｈサイズで全コマを露光するとともに、Ｈサイズ以外のプリント範囲を指定した場合に指定したプリント範囲を表す情報を各コマ毎に磁気的又は光学的に記録する撮影情報記録装置を備えたものがある。プリント時に記録された情報が読み取られて、情報が記録されているコマから指定されたＣサイズやＰサイズのプリント写真が得られ、情報無しのコマからはＨサイズのプリント写真が得られる。
【０００４】
上述したカメラでは、プリント範囲の指定切り替え操作に伴って、一対のマスク板を移動させることによりファインダの視野範囲を切り替える視野範囲切り替え装置を搭載して、ファインダを覗くことでプリント範囲を確認しながら確実に被写体を捉えて撮影できるようにしたものがある。
【０００５】
上述した視野範囲切り替え装置の一例を図６に示す（特開平９−８０５９１号）。操作摘み２を指標「Ｈ」から「Ｃ」にスライド操作すると、操作摘み２に固着されたスライド板３が上に移動する。これにより、スライド板３の上端に固着された伝達板４が上に移動する。伝達板４に組み込んだバネ５の両端部５ａ，５ｂは、回転部材６に設けたピン６ａの上下にかけられているので、伝達板４の移動によりピン６ａが持ち上げられて回転部材６が反時計方向に回転する。
【０００６】
回転部材６の反時計方向の回転は、回転部材６の軸６ｂの先端に設けられた伝達ギヤ７を介して切り替え部材８に伝達される。切り替え部材８は、ガイド９，１０に沿ってファインダの光軸１１を中心に時計方向に所定量回動する。この回動に連動して一対のマスク板１２，１３が対角線方向に互いに逆向きに移動し、Ｃサイズの視野範囲に切り替わる。切り替え部材８は時計方向に所定量回動すると、ガイド９，１０で回動が止められる。
【０００７】
ガイド９，１０で切り替え部材８の回動が規制された後も伝達板４は僅かに移動し、スライド板３の下端に設けた屈折片１４が係合溝１５に係合すると、操作摘み２のスライド操作が完了する。この僅かな移動でバネ５の端部５ｂが弾性変形する。バネ５の弾性により切り替え部材８は時計方向に付勢されるので、視野範囲が切り替わった状態で切り替え部材８が保持される。
【０００８】
【発明が解決しようとする課題】
しかしながら、上述した視野範囲切り替え装置では、バネ５の弾性を利用して、切り替え部材８を視野範囲が切り替わった状態で無理な力をかけずに保持できるが、部品点数が多く、バネ５等の組み込みが面倒であった。
【０００９】
本発明は上記事情を考慮してなされたもので、部品点数が少なく組み込みが簡単な視野範囲切り替え装置を提供するものである。
【００１０】
【課題を解決するための手段】
上記目的を達成するために、請求項１記載の発明では、視野範囲の切り替え時に操作される操作部材と、この操作部材に固着されたカム部材と、このカム部材に形成されたカムスロットに係合する連動ピンが設けられ、カム部材の移動によりファインダの光軸を中心に回動してマスク板をファインダの光軸と直交する面内で移動させる切り替え部材とからなり、カムスロットの少なくとも一部は、その一方の壁面が他方の壁面に向かって連動ピンを押しつける弾性片で構成されているものである。
【００１１】
【発明の実施の形態】
図５において、カメラ２０の中央部には、電源オンとともに所定位置まで迫り出すレンズ鏡筒２１が組み込まれ、上部には、正面右端から順にストロボ発光窓２２と、ファインダ対物窓２３及び測光窓２４を一体的に組み込んだオートフォーカス（ＡＦ）用の投光窓２５と、ＡＦ用の受光窓２６とが設けられている。
【００１２】
グリップ部２７の上部には、リモコン受光部及びセルフタイマー表示用ランプを背後に収納した赤色窓２８が設けられている。上面の左側には、カメラ２０を保持した右手の人差し指で押下可能な位置にシャッタボタン２９を配置している。上面の右側には、カメラ２０を保持した左手の人差し指で操作可能な位置に、プリント範囲と視野範囲の両方を切り替える操作摘み３０が設けられている。
【００１３】
操作摘み３０の近隣には、アスペクト比１．５のＣサイズを表す指標「Ｃ」と、アスペクト比１．８のＨサイズを表す指標「Ｈ」と、アスペクト比３．０のパノラマを表す指標「Ｐ」が記されている。操作摘み３０を各指標に合わせることで、プリント範囲の指定が行われるとともに、視野範囲がＣサイズ、Ｈサイズ、パノラマの各々に切り替わる。カメラ２０の背面には、ファインダ対物窓３２が設けられている。
【００１４】
図４において、カメラ２０は、レンズ鏡筒２１を備え、これの駆動機構やフイルム給送機構、電源部、撮影情報記録装置等が組み込まれた本体部３５と、これを前後から覆う前カバー３６及び後カバー３７等からなる。本体部３５の上部には、実像式のファインダ３９がＡＦ用の測距ユニット４０に隣接して設けられている。このファインダ３９に隣接してストロボ発光部４１が設けられている。ファインダ３９の上部には視野範囲切り替え装置４３が設けられいる。
【００１５】
図１において、ファインダ３９は、測距ユニット４０の側方に組み込まれるケース４４内に、対物レンズ４５と、プリズム４６と、フィールドレンズ４７と、ミラー４８と、接眼レンズ４９とを組み込んで構成されている。プリズム４５とフィールドレンズ４６との間には、Ｌ字形に直角に屈折した一対のマスク板６０，６１と、切り替え部材６２と、これらを前後から保持する前後保持板６３，６４とが組み込まれている。
【００１６】
前保持板６３の中央にはアスペクト比１．８の開口６５が設けられている。この開口６５は、ファインダ３９の基準となるＨサイズ視野範囲３９ａ（図２参照）を画定する。切り替え部材６２は、その中央に設けた開口６６に、後保持板６４の中央の開口６７の幅方向の両側に設けた２個の回転ガイド７０，７１が挿入されて、ファインダ光軸７５と一致する回転中心線７５ａで回動するようになっている。
【００１７】
マスク板６０，６１は、切り替え部材６２の回転に連動して、Ｈサイズ視野内３９ａ内にファインダ光軸７５と直交する方向から互いに逆向きに移動するもので、前保持板６３と切り替え部材６２との間に組み込まれている。
【００１８】
視野範囲切り替え装置４３は、薄長板状のカム部材８１と、スライド板８２及び操作摘み３０からなる操作部材８３と、上部に連動ピン６２ａを設けた切り替え部材６２とで構成されている。操作摘み３０の底面にこれよりも小さく設けた突起部３０ａは、スライド板８２の中央に固着されている。突起部３０は前カバー３６の上壁８５に設けた切欠部８６内にスライド自在に組み込まれており、操作部材８３は、操作摘み３０の操作によって切り替え部材６２の回転中心線７５ａに沿ってスライドするようになっている。
【００１９】
カム部材８１はスライド板８２の一端に固着されており、ファインダ３９の上部に配置されている。カム部材８１は、操部部材８３のスライドした際に、操作部材８３と同方向に水平に移動する。カム部材８１は、移動方向に対して直交する幅方向の側縁８２ａ，８２ｂがケース部材４４の上部に設けた爪４４ａ〜４４ｂに組み込まれてスライド自在に保持されて、スライド時のブレや浮き上がりが防止されている。
【００２０】
スライド板８２の他端には屈折部８２ａが折り曲げ形成されている。屈折部８２ａは、操作摘み３０を指標「Ｐ」，「Ｈ」，「Ｃ」の各位置に操作したときに、前カバー３６の上壁８５に設けた係合溝８５ａ，８５ｂ，８５ｃに係合して操作部材８３を各位置で係止する。
【００２１】
連動ピン６２ａは、前保持板６３と後保持板６４の間から上方に突出して、カム部材８１に形成されたカムスロット９０に係合している。この連動ピン６２ａがほぼ垂直に位置するときは、マスク板６０，６１をＨサイズ視野範囲３９ａに退避させる切り替え部材６２の基準位置とする（図２（Ａ）参照）。
【００２２】
カムスロット９０は、切り替え部材６２の回転中心線７５ａと平行に回転中心線７５ａの真上に設けられ、連動ピン６２ａをほぼ垂直にする中央部９１と、側縁８１ａに近づくように図中手前側に向かって傾けて操作部材８３に近づくように延ばされ、操作部材８３の矢印方向へのスライド時に連動ピン６２ａを図中手前側に移動させる一端部９２と、側縁８１ｂに近づくように図中奥側に向かって傾けて操作部材８３から離れるように延ばされ、操作部材８３の矢印方向と逆方向へのスライド時に連動ピン６２ａを図中奥側に移動させる他端部９３とからなる。
【００２３】
カム部材８１のカムスロット９０の一端部９２と側縁８１ｂの間に切欠口９４を形成し、一端部９２の一方の壁面９２ａを備える弾性片９５をカム部材８１に一体に設けるとともに、カムスロット９０の他端部９３と側縁８１ａの間に切欠口９６を形成し、他端部９３の一方の壁面９３ｂを備える弾性片９７をカム部材８１に一体に設けている（図１、図３参照）。
【００２４】
また、上述した撮影情報写し込み装置は、ドットマークを発光ダイオードや外光を用いて写し込むもので、例えば操作摘み３０を指標「Ｐ」にセットして撮影を行うと、パノラマプリントを示す２個のドットマートが写し込まれる。操作摘み３０を指標「Ｃ」にセットして撮影を行うと、Ｃサイズプリントを示す２個のドットマートが写し込まれる。操作摘み３０を指標「Ｈ」にセットして撮影を行うとドットマートは写し込まれず、Ｈサイズプリントを示すドットマーク無しとなる。なお、撮影データ写し込み装置として、磁気記録層を備えるフイルムを用いる場合、フイルムの磁気記録層に撮影情報を磁気記録する磁気記録装置でもよい。
【００２５】
上記構成のカメラ２０で撮影を行う際には、図示しない電源スイッチをオンにする。これにより、レンズ鏡筒２１が所定の位置まで迫り出して撮影可能な状態になる。操作摘み３０が指標「Ｈ」に合わせられ、Ｈサイズが指定されている場合、カムスロット９０の中央部９１の壁面９１ａ，９１ｂの間で連動ピン６２ａが垂直に保持されているので、切り替え部材６２は基準位置にあり、マスク板６０，６１がＨサイズ視野範囲３９ａから退避しており、Ｈサイズ視野範囲３９ａが形成されている。
【００２６】
操作摘み３０を指標「Ｈ」から「Ｐ」にすると、屈折部８２ａが係合溝８５ｂを乗り越えて、操作部材８３が矢印方向にスライドして同方向にカム部材８１が移動する。連動ピン６２ａは、カムスロット９０の一端部９２に沿って移動して、図中手前側に移動する。これにより、切り替え部材６２は時計方向に所定量回動して、回転ガイド７０，７１が開口６６の左下と右上に突き当って回動が規制されると、Ｈサイズ視野３９ａが上下方向の両側からマスク板６０，６１によって規制されてパノラマ視野３９ｂに切り替わる（図２（Ｂ）参照）。
【００２７】
操作部材３３は、切り替え部材６２の時計方向への回転が回転ガイド７０，７１で規制された後も僅かに矢印方向にスライドし、屈曲部８２ａが係合溝８５ａに係合すると係止される。この操作部材３３のスライドによるカム部材８１の移動により、弾性片９５が壁面９２ｂと離れる方向に弾性変形する（図３（Ｂ）参照）。連動ピン６２ａは壁面９２ａ，９２ｂの間で、弾性片９５によって壁面９２ｂに向かって押しつけて、連動ピン６２ａを図中手前方向に付勢するため、切り替え部材６２の回転が保持されて、マスク板６０，６１がパノラマ視野３９ｂを形成した状態で保持される。
【００２８】
操作摘み３０を指標「Ｈ」から「Ｃ」にすると、屈折部８２ａが係合溝８５ｂを乗り越えて、操作部材８３が矢印方向と逆方向にスライドして同方向にカム部材８１が移動する。連動ピン６２ａは、カムスロット９０の他端部９３に沿って移動して、図中奥側に移動する。これにより、切り替え部材６２は反時計方向に所定量回動して、回転ガイド７０，７１が開口６６の左上と右下に突き当って回動が規制されると、Ｈサイズ視野３９ａが左右方向の両側からマスク板６０，６１によって規制されてＣサイズ視野３９ｃに切り替わる（図２（Ｃ）参照）。
【００２９】
操作部材３３は、切り替え部材６２の反時計方向への回転が回転ガイド７０，７１で規制された後も僅かに矢印方向と逆方向にスライドし、屈曲部８２ａが係合溝８５ｃに係合すると係止される。この操作部材３３のスライドによるカム部材８１の移動により、弾性片９７が壁面９３ａと離れる方向に弾性変形する（図３（Ｃ）参照）。連動ピン６２ａは壁面９３ａ，９３ｂの間で、弾性片９７によって壁面９３ａに向かって押しつけて、連動ピン６２ａを図中奥方向に付勢するため、切り替え部材６２の回転が保持されて、マスク板６０，６１がＣサイズ視野３９ｃを形成した状態で保持される。
【００３０】
本発明では、従来のようにバネを組み込むことなく簡単な構造で切り替え部材６２を保持することができるので、部品点数が少なくて済み、低コストである。また、ファインダ３９の上部に組み込む構造なので、組み込みが簡単である。カム部材８１は薄板状になっているので場所をとらず、カメラ２０の外形寸法の小型化にも貢献できる。
【００３１】
なお、操作部をカメラの前面、背面、側面、底面のいずれに設けてもよい。この場合、柔軟なバネ板やカムやギヤ等を単独又は組み合わせた連動手段を用いて操作部の操作が伝達されるようにすればよい。切欠口をカムスロットに連設せずにカム輪郭に平行に設けるようにして、カム部材の強度を向上させるようにしてもよい。
【００３２】
【発明の効果】
以上のように、本発明によれば、視野範囲の切り替え時にスライド操作される操作部材と、この操作部材に固着されたカム部材と、このカム部材に形成されたカムスロットに係合する連動ピンが設けられ、カム部材の移動によりファインダの光軸を中心に回動してマスク板をファインダの光軸と直交する面内で移動させる切り替え部材とで構成したので、部品点数が少なくて済み、組み込みが簡単で低コストであった。
【００３３】
カムスロットの少なくとも一部は、その一方の壁面が他方の壁面に向かって連動ピンを押しつける弾性片で構成することで、上述したように弾性片の弾性によって切り替え部材を保持させることができる。
【図面の簡単な説明】
【図１】本発明の視野範囲切り替え装置を示す斜視図である。
【図２】切り替え部材やマスク板の作動状態の説明図である。
【図３】カム部材の作動状態の説明図である。
【図４】カメラの全体図である。
【図５】カメラの分解部である。
【図６】従来の視野範囲切り替え装置の一例を示す斜視図である。
【符号の説明】
３０  操作部
３９  ファインダ
３９ａ  Ｈサイズ視野
４３  視野範囲切り替え機構
６１  マスク板
６２  切り替え部材
８１  カム部材
８３  操作部材
９０  カムスロット
【図１】
0003566539.tif 000002
【図２】
0003566539.tif 000003
【図３】
0003566539.tif 000004
【図４】
0003566539.tif 000005
【図５】
0003566539.tif 000006
【図６】
0003566539.tif 000007